(57)【要約】【課題】  不用意に操作部材が回転することがなく、使い勝手の良い回転操作スイッチ装置を提供する。【解決手段】  操作部材７を軸方向における第２の位置に移動させると、操作部材７の係合リング２０と円筒部材８の係止歯車１８とが離脱し、操作部材７の係合リング２０に対する円筒部材８の係止歯車１８によるロックを解除することができるので、操作部材７を円滑に回転操作させることができる。また、操作部材７を軸方向における第１の位置に移動させると、操作部材７の係合リング２０と円筒部材８の係止歯車１８とが係合し、操作部材７の回転を円筒部材８の係止歯車１８によってロックすることができる。このため、不用意に操作部材７が回転することがなく、使い勝手の良いものを提供することができる。【選択図】        図２
2011185835.tif 000002
【特許請求の範囲】
【請求項１】
ケースの貫通孔に固定された円筒部材と、
前記ケースの外部に位置する操作用の頭部およびこの頭部に連設されて前記円筒部材内に回転可能に挿入する軸部を有し、この軸部が前記頭部と共に前記円筒部材の軸方向における第１の位置および第２の位置に移動可能に設けられた操作部材と、を備え、
前記円筒部材には係止部が設けられ、
前記操作部材には、この操作部材の軸方向の移動に伴って前記円筒部材の前記係止部に係脱する係合部が設けられ、
前記操作部材が軸方向における前記第１の位置にあるときに、前記係止部と前記係合部とが係合し、
前記操作部材が軸方向における前記第２の位置にあるときに、前記係止部と前記係合部とが離脱する
ことを特徴とする回転操作スイッチ装置。
【請求項２】
前記円筒部材と前記操作部材との間には、前記操作部材を前記第１の位置に付勢するばね部材が設けられていることを特徴とする請求項１に記載の回転操作スイッチ装置。
【請求項３】
前記操作部材と前記ケースとの間には、前記操作部材を前記第１の位置に付勢するばね部材が設けられていることを特徴とする請求項１に記載の回転操作スイッチ装置。
【請求項４】
前記操作部材の前記係合部は、内歯を有する係合リングであり、前記円筒部材の前記係止部は、前記係合リングの前記内歯に噛み合う外歯を有する係止歯車であることを特徴とする請求項１〜請求項３のいずれかに記載の回転操作スイッチ装置。
【請求項５】
前記操作部材には、この操作部材と共に回転する駆動歯車が設けられ、前記ケースの内部には、前記操作部材の前記駆動歯車が噛み合ってこの駆動歯車の回転方向に対して直交する方向に回転する内転リングが設けられ、前記操作部材が回転操作された際に、前記駆動歯車が回転して前記内転リングを回転させることを特徴とする請求項１〜請求項４のいずれかに記載の回転操作スイッチ装置。
【請求項６】
前記係合リングとこれに噛み合う前記係止歯車とは、その回転位置が前記内転リングに噛み合って回転する前記駆動歯車の回転位置と同期していることを特徴とする請求項５に記載の回転操作スイッチ装置。
【発明の詳細な説明】
【技術分野】
【０００１】
この発明は、腕時計や計器類などの各種の機器に用いられる回転操作スイッチ装置に関し、更に詳しくは回転目盛板や回転見切板などの内転リングを回転させるための回転操作スイッチ装置に関する。
【背景技術】
【０００２】
従来、腕時計においては、特許文献１に記載されているように、腕時計ケース内の内周面に沿って回転可能に設けられた回転目盛板などの内転リングを備え、腕時計ケースの側部にその外部から内部に貫通する竜頭などの操作部材を回転操作可能に設けると共に、腕時計ケース内に位置する操作部材の内端部に駆動歯車を設け、この駆動歯車を内転リングに噛み合わせ、この状態で操作部材を回転操作させると、これに伴って駆動歯車が回転し、この駆動歯車の回転によって内転リングを回転させるように構成されたものが知られている。
【先行技術文献】
【特許文献】
【０００３】
【特許文献１】実開平０４−６６５９７号公報
【０００４】
このような腕時計における操作部材は、腕時計ケースの側部にその外部から内部に貫通する軸部と、この軸部の外端部に設けられて腕時計ケースの外部に位置する頭部とを有し、この頭部を回転させることにより、軸部の内端部に設けられた駆動歯車を回転させて腕時計ケース内の内転リングを回転させるように構成されている。
【発明の概要】
【発明が解決しようとする課題】
【０００５】
しかしながら、このような従来の腕時計では、操作部材の軸部が腕時計ケースの側部にその外部から内部に貫通した状態で回転可能に設けられているだけの構成であるから、腕時計ケースの外部に位置する頭部に負荷が不用意に加わった際に、頭部が軸部と共に回転し、これに伴って駆動歯車が回転して腕時計ケース内の内転リングを回転させてしまい、内転リングに表示された日付や表示マークなどの目盛が変わってしまうという問題がある。
【０００６】
なお、このような問題を解消するために、操作部材と腕時計ケースとの間に弾性部材を設け、この弾性部材の弾性力によって操作部材の回転トルクを高くし、操作部材が勝手に回転しないように構成したものが提案されている。しかし、このような構成では、内転リングを回転させて日付や表示マークなどの目盛を修正する際に、操作部材の回転トルクが高いため、操作部材を回転操作し難く、使い勝手が悪いという問題がある。
【０００７】
この発明が解決しようとする課題は、不用意に操作部材が回転することがなく、使い勝手の良い回転操作スイッチ装置を提供することである。
【課題を解決するための手段】
【０００８】
この発明は、上記課題を解決するために、次のような構成要素を備えている。
請求項１に記載の発明は、ケースの貫通孔に固定された円筒部材と、前記ケースの外部に位置する操作用の頭部およびこの頭部に連設されて前記円筒部材内に回転可能に挿入する軸部を有し、この軸部が前記頭部と共に前記円筒部材の軸方向における第１の位置および第２の位置に移動可能に設けられた操作部材と、を備え、前記円筒部材には係止部が設けられ、前記操作部材には、この操作部材の軸方向の移動に伴って前記円筒部材の前記係止部に係脱する係合部が設けられ、前記操作部材が軸方向における前記第１の位置にあるときに、前記係止部と前記係合部とが係合し、前記操作部材が軸方向における前記第２の位置にあるときに、前記係止部と前記係合部とが離脱することを特徴とする回転操作スイッチ装置である。
【０００９】
請求項２に記載の発明は、前記円筒部材と前記操作部材との間に、前記操作部材を前記第１の位置に付勢するばね部材が設けられていることを特徴とする請求項１に記載の回転操作スイッチ装置である。
【００１０】
請求項３に記載の発明は、前記操作部材と前記ケースとの間に、前記操作部材を前記第１の位置に付勢するばね部材が設けられていることを特徴とする請求項１に記載の回転操作スイッチ装置である。
【００１１】
請求項４に記載の発明は、前記操作部材の前記係合部が、内歯を有する係合リングであり、前記円筒部材の前記係止部は、前記係合リングの前記内歯に噛み合う外歯を有する係止歯車であることを特徴とする請求項１〜請求項３のいずれかに記載の回転操作スイッチ装置である。
【００１２】
請求項５に記載の発明は、前記操作部材に、この操作部材と共に回転する駆動歯車が設けられ、前記ケースの内部には、前記操作部材の前記駆動歯車が噛み合ってこの駆動歯車の回転方向に対して直交する方向に回転する内転リングが設けられ、前記操作部材が回転操作された際に、前記駆動歯車が回転して前記内転リングを回転させることを特徴とする請求項１〜請求項４のいずれかに記載の回転操作スイッチ装置である。
【００１３】
請求項６に記載の発明は、前記係合リングとこれに噛み合う前記係止歯車とは、その回転位置が前記内転リングに噛み合って回転する前記駆動歯車の回転位置と同期していることを特徴とする請求項５に記載の回転操作スイッチ装置である。
【発明の効果】
【００１４】
この発明によれば、操作部材を軸方向における第２の位置に移動させると、操作部材の係合部と円筒部材の係止部とが離脱し、操作部材の係合部に対する円筒部材の係止部によるロックを解除することができるので、操作部材を円滑に回転操作させることができる。また、操作部材を軸方向における第１の位置に移動させると、係合部と係止部とが係合し、操作部材の回転を円筒部材の係止部によってロックすることができる。このため、不用意に操作部材が回転することがなく、使い勝手の良いものを提供することができる。
【図面の簡単な説明】
【００１５】
【図１】この発明を腕時計に適用した実施形態１を示した斜視図である。
【図２】図１に示された腕時計のＡ−Ａ矢視における要部を示した拡大断面図である。
【図３】図２に示された操作部材と内転リングとを示した要部の拡大斜視図である。
【図４】図２に示された操作部材と円筒部材とを分解して示した拡大斜視図である。
【図５】図４に示された円筒部材を斜め右上側から見た拡大斜視図である。
【図６】図２に示された腕時計の要部において操作部材の頭部をばね部材のばね力に抗して押し込んだ状態を示した要部の拡大断面図である。
【図７】この発明を腕時計に適用した実施形態２において要部を示した拡大断面図である。
【図８】図７に示された操作部材と円筒部材とを分解して示した拡大斜視図である。
【図９】図７に示された腕時計の要部において操作部材の頭部をばね部材のばね力に抗して引き出した状態を示した要部の拡大断面図である。
【発明を実施するための形態】
【００１６】
（実施形態１）
以下、図１〜図６を参照して、この発明を腕時計に適用した実施形態１について説明する。
この腕時計は、図１および図２に示すように、腕時計ケース１を備えている。この腕時計ケース１の上側開口部には、時計ガラス２が取り付けられており、この腕時計ケース１の下部には、裏蓋３が取り付けられている。
【００１７】
また、この腕時計ケース１の内部には、図２に示すように、時計モジュール４（図２に２点鎖線で示す）が中枠５によって固定されている。この時計モジュール４は、図示しないが、時刻などの情報を表示する表示部や、指針の運針により時刻を指示する時計ムーブメントなどの時計機能に必要な各種の部品を備えている。また、この時計モジュール４と時計ガラス２との間には、図２および図３に示すように、腕時計ケース１の内周面に沿って回転する回転目盛板や回転見切板などの内転リング６が回転可能に設けられている。
【００１８】
さらに、この腕時計ケース１における３時側の側部には、図１〜図３に示すように、操作部材７が回転操作可能に設けられている。この場合、腕時計ケース１の側部には、図２に示すように、貫通孔１ａが内部と外部とに貫通して設けられており、この貫通孔１ａ内には、円筒部材８が腕時計ケース１の内部と外部とに貫通して突出した状態で、圧入または接着剤によって固定されている。
【００１９】
操作部材７は、図２および図４に示すように、頭部１０と、この頭部１０に連設された軸部１１とを備え、頭部１０が腕時計ケース１の外部に位置し、軸部１１が腕時計ケース１の円筒部材８内に挿入されて腕時計ケース１の内部に突出した状態で、円筒部材８内に回転可能で、且つ軸方向にスライド可能に取り付けられている。すなわち、この操作部材７は、その軸方向における第１の位置（図２に示す位置）と、第２の位置（図６に示す位置）とに、移動するように構成されている。
【００２０】
この場合、操作部材７の頭部１０は、図２および図４に示すように、その外径が円筒部材８の外径よりも十分に大きく形成されている。この頭部１０の内側面つまり腕時計ケース１の外側面に対面する頭部１０の内側面（図３では左側面）には、図２および図４に示すように、円筒部材８の外端部（図３では右端部）が挿入するリング状の挿入溝１０ａが設けられている。
【００２１】
また、この操作部材７の軸部１１は、図２〜図４に示すように、その外径が円筒部材８の内径よりも少し小さく形成されている。この軸部１１の外周面には、複数のリング状の溝部１１ａが設けられている。この複数の溝部１１ａ内には、それぞれ円筒部材８の内周面に弾接して相対的に摺動する複数の防水リング１３が取り付けられている。
【００２２】
また、この軸部１１における腕時計ケース１内に突出する内端部側（図４では左端部側）には、図４に示すように、角棒状の歯車取付部１４が設けられている。この操作部材７の軸部１１における歯車取付部１４には、図２〜図４に示すように、駆動歯車１５がＥリングなどの抜止め部材１６によって取り付けられている。
【００２３】
この場合、抜止め部材１６は、図４に示すように、軸部１１の内端部（図４では左端部）に設けられた取付溝部１１ｂに取り付けられて、駆動歯車１５が軸部１１の歯車取付部１４から脱落するのを防ぐように構成されている。また、駆動歯車１５は、図２および図４に示すように、その中心部に四角形状の軸孔１７が設けられ、この軸孔１７に操作部材７の歯車取付部１４が嵌合することにより、軸部１１の歯車取付部１４に取り付けられ、この状態で操作部材７と共に一体的に回転するように構成されている。
【００２４】
この駆動歯車１５は、図２〜図４に示すように、その外周部に等間隔で多数の歯部１５ａが設けられ、この駆動歯車１５の上側に位置する歯部１５ａが腕時計ケース１内に設けられた内転リング６の歯部６ａに噛み合い、この状態で操作部材７の回転操作に伴って操作部材７と共に回転すると、その回転に連動して内転リング６を駆動歯車１５の回転方向と直交する方向である腕時計ケース１の内周面に沿って回転させるように構成されている。
【００２５】
この場合、内転リング６は、目盛が表示された分時間などの減算目盛機能を有する回転目盛板や、世界の各都市が表示されたワールドタイム用の回転見切板、あるいは目盛機能を有しない回転板などである。この内転リング６は、時計ガラス２を通してその上方向から見る状態で、図２および図３に示すように、腕時計ケース１内にその内周面に沿って回転可能に設けられている。
【００２６】
また、この内転リング６の下面には、図２および図３に示すように、駆動歯車１５の上側に位置する歯部１５ａが順次噛み合う歯部６ａが内転リング６の円周に沿って等間隔で多数設けられている。この歯部６ａは、図２および図６に示すように、操作部材７の押圧操作に応じて駆動歯車１５が軸方向に移動する際に、駆動歯車１５の歯部１５ａが噛み合った状態で、歯幅方向（図３における内転リング６の中心からの放射方向）に沿って移動するように、その歯幅が広く形成されている。
【００２７】
ところで、円筒部材８の外端部には、図４および図５に示すように、係止歯車１８が一体に設けられている。この係止歯車１８の外周には、外歯１８ａが等間隔で設けられている。また、この係止歯車１８は、図２に示すように、操作部材７の頭部１０に設けられた挿入溝１０ａ内に挿入されるように構成されている。
【００２８】
また、この操作部材７の頭部１０における挿入溝１０ａ内には、図２および図４に示すように、係止歯車１８が係脱可能に係合する係合リング２０が設けられている。この係合リング２０の内周には、係止歯車１８の外歯１８ａが係脱可能に係合する内歯２０ａが外歯１８ａと同じ間隔（ピッチ）で設けられている。
【００２９】
これにより、操作部材７は、図２に示すように、係合リング２０の内歯２０ａが係止歯車１８の外歯１８ａに噛み合う第１の位置と、図６に示すように、係合リング２０の内歯２０ａが係止歯車１８の外歯１８ａから離脱する第２の位置とにスライド移動するように構成されている。この場合、係合リング２０とこれに噛み合って回転する係止歯車１８とは、これらの回転位置が、内転リング６に噛み合って回転する駆動歯車１５の回転位置と同期するように構成されている。
【００３０】
さらに、円筒部材８と操作部材７との間には、図２および図４に示すように、操作部材７を腕時計ケース１の外部に向けて押し出す方向、つまり操作部材７を第１の位置に付勢するばね部材２１が設けられている。このばね部材２１は、コイルばねであり、操作部材７の軸部１１の外周に配置されて頭部１０の挿入溝１０ａ内に位置した状態で、円筒部材８の外端面と頭部１０の挿入溝１０ａ内における奥壁面（図２では右側の内面）との間に設けられている。
【００３１】
これにより、操作部材７は、図２に示すように、ばね部材２１のばね力によって腕時計ケース１の外部に向けて押し出す方向に付勢され、頭部１０と軸部１１とが第１の位置に移動し、頭部１０の係合リング２０の内歯２０ａと、円筒部材８の係止歯車１８の外歯１８ａとが、互いに噛み合うことにより、腕時計ケース１に固定された円筒部材８の係止歯車１８によって、操作部材７の回転がロックされるように構成されている。
【００３２】
また、この操作部材７は、図６に示すように、頭部１０がばね部材２１のばね力に抗して腕時計ケース１側に向けて押されると、軸部１１が第２の位置に移動し、頭部１０の係合リング２０の内歯２０ａが円筒部材８の係止歯車１８の外歯１８ａから腕時計ケース１の内側に向けて移動して離脱することにより、操作部材７を回転可能な状態にするように構成されている。
【００３３】
次に、この腕時計の作用について説明する。
通常は、図２に示すように、腕時計ケース１の貫通孔１ａ内に固定された円筒部材８に回転およびスライド可能に設けられた操作部材７が、ばね部材２１のばね力によって腕時計ケース１の外部に向けて押し出される方向、つまり操作部材７の第１の位置に付勢されていることにより、操作部材７の頭部１０と軸部１１とが第１の位置に移動し、頭部１０の係合リング２０の内歯２０ａが円筒部材８の係止歯車１８の外歯１８ａに噛み合っている。
【００３４】
この状態では、操作部材７の回転がロックされる。すなわち、円筒部材８は腕時計ケース１の貫通孔１ａ内に固定されているので、この円筒部材８に設けられた係止歯車１８の外歯１８ａに操作部材７の頭部１０に設けられた係合リング２０の内歯２０ａが噛み合っていることにより、係合リング２０の回転が阻止され、操作部材７の回転がロックされている。
【００３５】
このため、操作部材７の頭部１０に不用意に負荷が加わっても、操作部材７が回転することがなく、この操作部材７の内端部に設けられた駆動歯車１５も回転することがないので、内転リング６が回転することがない。これにより、内転リング６に表示された分時間などの減算目盛や、ワールドタイムの世界の各都市などの目盛が、不用意にずれてしまうのを確実に防ぐことができる。
【００３６】
また、この腕時計において内転リング６を回転させて、内転リング６に表示された分時間などの減算目盛や、ワールドタイムの世界の各都市などの目盛を修正する場合には、図６に示すように、操作部材７の頭部１０をばね部材２１のばね力に抗して押圧し、この状態で操作部材７の頭部１０を回転操作すれば良い。
【００３７】
すなわち、操作部材７の頭部１０をばね部材２１のばね力に抗して押圧すると、図６に示すように、操作部材７の頭部１０と軸部１１とが第２の位置に移動し、頭部１０の係合リング２０の内歯２０ａが円筒部材８の係止歯車１８の外歯１８ａから、腕時計ケース１の内側に向けて移動して離脱する。これにより、操作部材７に対する円筒部材８によるロックが解除される。
【００３８】
このときには、円筒部材８が腕時計ケース１の貫通孔１ａ内に固定されていても、この円筒部材８に設けられた係止歯車１８の外歯１８ａから、操作部材７の頭部１０に設けられた係合リング２０の内歯２０ａが腕時計ケース１の内側に向けて移動して離脱し、両者の噛み合いが解除されることにより、操作部材７が回転可能な状態になる。
【００３９】
このため、操作部材７の頭部１０を回転させると、これに伴って操作部材７の内端部に設けられた駆動歯車１５が回転し、この駆動歯車１５の回転に応じて内転リング６が回転する。これにより、内転リング６に表示された分時間などの減算目盛や、ワールドタイムの世界の各都市などの目盛を修正することができる。
【００４０】
このように、この腕時計によれば、操作部材７を軸方向における第２の位置に移動させると、操作部材７の係合リング２０と円筒部材８の係止歯車１８とが離脱するので、操作部材７の係合リング２０に対する円筒部材８の係止歯車１８によるロックを解除することができ、これにより操作部材７を円滑に回転操作させることができる。また、操作部材７を軸方向における第１の位置に移動させると、操作部材７の係合リング２０と円筒部材８の係止歯車１８とが係合するので、操作部材７の回転をロックすることができる。
【００４１】
このため、不用意に操作部材７が回転することがなく、使い勝手の良いものを提供することができる。この場合、この腕時計では、円筒部材８に係止歯車１８を設け、操作部材７の頭部１０に設けられた挿入溝１０ａ内に係合リング２０を設けた構成であるから、腕時計全体が大型化せず、コンパクトに構成することができる。
【００４２】
また、この腕時計では、円筒部材８の外端部と操作部材７の頭部１０との間に、操作部材７を腕時計ケース１の外部に向けて押し出す方向、つまり操作部材７を第１の位置に付勢するばね部材２１が設けられているので、このばね部材２１によって図２に示すように操作部材７を第１の位置に移動させることができ、これにより操作部材７の係合リング２０の内歯２０ａを円筒部材８の係止歯車１８の外歯１８ａに噛み合せて操作部材７の回転をロックすることがきる。このため、通常状態で操作部材７が不用意に回転するのを確実に阻止することができる。
【００４３】
また、この操作部材７は、その回転がロックされた状態で、図６に示すように、ばね部材２１のばね力に抗して腕時計ケース１の内側に向けて押され、第２の位置に移動した際に、操作部材７の係合リング２０の内歯２０ａが円筒部材８の係止歯車１８の外歯１８ａから腕時計ケース１の内側に向けて移動して離脱するので、操作部材７を回転可能な状態にすることができる。このため、操作部材７の頭部１０を円滑に且つ良好に回転させることができるので、使い勝手が良い。
【００４４】
また、操作部材７の係合リング２０は、その内周面に内歯２０ａを有し、円筒部材８の係止歯車１８は、その外周面に外歯１８ａを有し、この外歯１８ａが係合リング２０の内歯２０ａに係脱可能に噛み合う構成であるから、円筒部材８に対する操作部材７の回転位置が任意の状態で、円筒部材８の係止歯車１８の外歯１８ａと操作部材７の係合リング２０の内歯２０ａとを係脱可能に確実に且つ良好に噛み合せることができる。
【００４５】
さらに、この腕時計では、操作部材７にこれと共に回転する駆動歯車１５が設けられ、腕時計ケース１の内部には、操作部材７の駆動歯車１５が噛み合ってこの駆動歯車１５の回転方向に対して直交する方向に回転する内転リング６が設けられ、操作部材７が回転操作された際に、駆動歯車１５が回転して内転リング６を回転させることにより、内転リング６に表示された目盛を良好に修正することができる。
【００４６】
この場合、操作部材７の係合リング２０と、これに噛み合う円筒部材８の係止歯車１８とは、これらの回転位置が内転リング６に噛み合って回転する操作部材７の駆動歯車１５の回転位置と同期していることにより、内転リング６を回転させて内転リング６に表示された目盛を修正した状態で、操作部材７を第２の位置から第１の位置に移動させる際に、操作部材７の係合リング２０と円筒部材８の係止歯車１８との噛み合いのずれによって、修正された内転リング６が回転して位置ずれを起こすことがなく、操作部材７の係合リング２０を円筒部材８の係止歯車１８に良好に噛み合させてロックすることができる。
【００４７】
（実施形態２）
次に、図７〜図９を参照して、この発明を適用した腕時計の実施形態２について説明する。なお、図１〜図６に示された実施形態１と同一部分には同一符号を付して説明する。
この腕時計は、図７および図８に示すように、ばね部材３０の設置位置が実施形態１と異なる構成であり、これ以外は実施形態１とほぼ同じ構成になっている。
【００４８】
すなわち、このばね部材３０は、実施形態１と同様、コイルばねであり、図７および図９に示すように、腕時計ケース１の内部に突出した円筒部材８の外周に配置された状態で、操作部材７の駆動歯車１５と腕時計ケース１の内面との間に設けられ、操作部材７を腕時計ケース１の内部に向けて引き込む方向、つまり操作部材７を第１の位置に付勢するように構成されている。
【００４９】
この場合、円筒部材８の係止歯車１８は、図７および図９に示すように、円筒部材８の外端部（図７では右端部）から内側（図７では左側）に向けて離れた位置、つまり円筒部材８の外端部から操作部材７の係合リング２０における内歯２０ａの歯幅分だけ離れた状態で、腕時計ケース１の外面に接近して設けられている。
【００５０】
これにより、操作部材７は、図７に示すように、ばね部材２１のばね力によって腕時計ケース１の内部に向けて引き込む方向、つまり操作部材７を第１の位置に付勢され、頭部１０と軸部１１とが第１の位置に移動し、頭部１０の係合リング２０の内歯２０ａが円筒部材８の係止歯車１８の外歯１８ａに噛み合うことにより、操作部材７の回転がロックされるように構成されている。
【００５１】
また、この操作部材７は、図９に示すように、操作部材７の駆動歯車１５がばね部材２１のばね力に抗して腕時計ケース１の外部に向けて引き出されて、軸部１１が頭部１０と共に第２の位置に移動した際に、頭部１０の係合リング２０の内歯２０ａが円筒部材８の係止歯車１８の外歯１８ａから腕時計ケース１の外側に向けて離脱することにより、操作部材７を回転可能な状態にするように構成されている。
【００５２】
次に、この腕時計の作用について説明する。
通常は、図７に示すように、操作部材７がばね部材２１のばね力によって腕時計ケース１の内部に向けて引き込まれる方向、つまり操作部材７を第１の位置に付勢されていることにより、操作部材７の頭部１０と軸部１１とが第１の位置に移動し、頭部１０の係合リング２０の内歯２０ａが円筒部材８の係止歯車１８の外歯１８ａに噛み合っている。
【００５３】
この状態では、操作部材７の回転がロックされる。すなわち、円筒部材８は腕時計ケース１の貫通孔１ａ内に固定されているので、この円筒部材８に設けられた係止歯車１８の外歯１８ａに操作部材７の頭部１０に設けられた係合リング２０の内歯２０ａが噛み合うと、係合リング２０の回転が阻止され、これにより実施形態１と同様、操作部材７の回転がロックされる。
【００５４】
このため、操作部材７の頭部１０に不用意に負荷が加わっても、操作部材７が回転することがなく、この操作部材７の内端部に設けられた駆動歯車１５も回転することがないので、内転リング６が回転することがない。これにより、内転リング６に表示された分時間などの減算目盛や、ワールドタイムの世界の各都市などの目盛が、不用意にずれてしまうのを確実に防ぐことができる。
【００５５】
また、この腕時計において内転リング６を回転させて、内転リング６に表示された分時間などの減算目盛や、ワールドタイムの世界の各都市などの目盛を修正する場合には、図９に示すように、操作部材７の頭部１０をばね部材２１のばね力に抗して引き出し、この状態で操作部材７の頭部１０を回転操作すれば良い。
【００５６】
すなわち、操作部材７の頭部１０をばね部材２１のばね力に抗して引き出すと、図９に示すように、操作部材７の頭部１０と軸部１１とが第２の位置に移動し、頭部１０の係合リング２０の内歯２０ａが円筒部材８の係止歯車１８の外歯１８ａから腕時計ケース１の外側に向けて離脱する。これにより、操作部材７に対する円筒部材８によるロックが解除される。
【００５７】
すなわち、円筒部材８は腕時計ケース１の貫通孔１ａ内に固定されているが、この円筒部材８に設けられた係止歯車１８の外歯１８ａから操作部材７の頭部１０に設けられた係合リング２０の内歯２０ａが離脱することにより、両者の噛み合いが解除される。これにより、操作部材７が回転可能な状態になる。
【００５８】
このため、操作部材７の頭部１０を回転させると、この回転に伴って操作部材７の内端部に設けられた駆動歯車１５が回転し、この駆動歯車１５の回転に応じて内転リング６が回転する。これにより、内転リング６に表示された分時間などの減算目盛や、ワールドタイムの世界の各都市などの目盛を良好に修正することができる。
【００５９】
このように、この腕時計によれば、実施形態１と同様、操作部材７を軸方向における第２の位置に移動させると、操作部材７の係合リング２０と円筒部材８の係止歯車１８とが離脱するので、操作部材７の係合リング２０に対する円筒部材８の係止歯車１８によるロックを解除することができ、これにより操作部材７を円滑に回転操作させることができる。また、操作部材７を軸方向における第１の位置に移動させると、操作部材７の係合リング２０と円筒部材８の係止歯車１８とが係合するので、操作部材７の回転をロックすることができる。
【００６０】
このため、不用意に操作部材７が回転することがなく、使い勝手の良いものを提供することができる。この場合にも、この腕時計では、円筒部材８に係止歯車１８を設け、操作部材７の頭部１０に設けられた挿入溝１０ａ内に係合リング２０を設けた構成であるから、実施形態１と同様、腕時計全体が大型化せず、コンパクトに構成することができる。
【００６１】
また、この腕時計によれば、操作部材７と腕時計ケース１との間、つまり操作部材７の駆動歯車１５と腕時計ケース１の内面との間に、操作部材７を腕時計ケース１の内部に向けて引き込む方向、つまり操作部材７を第１の位置に付勢するばね部材３０が設けられているので、このばね部材３０によって図７に示すように操作部材７を第１の位置に移動させることができ、これにより操作部材７の係合リング２０の内歯２０ａを円筒部材８の係止歯車１８の外歯１８ａに噛み合せて操作部材７の回転をロックすることがきる。このため、通常状態で操作部材７が不用意に回転するのを確実に阻止することができる。
【００６２】
また、操作部材７は、その回転がロックされた状態で、図９に示すように、ばね部材２１のばね力に抗して腕時計ケース１の外部に向けて引き出されると、操作部材７が第２の位置に移動し、この操作部材７における係合リング２０の内歯２０ａが円筒部材８の係止歯車１８の外歯１８ａから離脱するので、操作部材７を回転可能な状態にすることができる。このため、操作部材７の頭部１０を円滑に且つ良好に回転させることができるので、これによっても使い勝手が良い。
【００６３】
なお、上述した実施形態２では、ばね部材３０を操作部材７の駆動歯車１５と腕時計ケース１の内面との間に設けた場合について述べたが、これに限らず、例えば、ばね部材３０を操作部材７の駆動歯車１５と円筒部材８の内端面との間に設け、このばね部材３０のばね力によって操作部材７を腕時計ケース１の内部に引き込む方向、つまり操作部材７を第１の位置に付勢するように構成しても良い。
【００６４】
また、上述した実施形態１、２およびその各変形例では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、メータや計器類などの各種の機器に広く適用することができる。
【符号の説明】
【００６５】
１  腕時計ケース
４  時計モジュール
６  内転リング
７  操作部材
８  円筒部材
１０  頭部
１１  軸部
１４  歯車取付部
１５  駆動歯車
１８  係止歯車
１８ａ  外歯
２０  係合リング
２０ａ  内歯
２１、３０ばね部材
【図１】
2011185835.tif 000003
【図２】
2011185835.tif 000004
【図３】
2011185835.tif 000005
【図４】
2011185835.tif 000006
【図５】
2011185835.tif 000007
【図６】
2011185835.tif 000008
【図７】
2011185835.tif 000009
【図８】
2011185835.tif 000010
【図９】
2011185835.tif 000011